(57)【要約】【課題】作業ミスを誘発することなくコネクタハウジング相互の嵌合を確実に行うことによって、嵌合性能の向上を図ることができる半嵌合防止コネクタを提供する。【解決手段】本発明の半嵌合防止コネクタ１０は、可撓ロックアーム２１を有するコネクタハウジング２０と、嵌合方向に沿ってスライド移動可能にコネクタハウジング２０の外周に嵌合する検知部材本体３２と、可撓ロックアーム２１との係合によって検知部材本体３２を初期位置に規制する位置決め係止部３１とを有する嵌合検知部材３０と、を備えている。そして、嵌合検知部材３０には、嵌合時にコネクタハウジング２０の少なくとも可撓ロックアーム２１を押圧しないように支持可能な指当て部３３が形成されている。【選択図】      図１
2004241275.tif 000002
【特許請求の範囲】
【請求項１】
可撓ロックアームを有するコネクタハウジングと、
嵌合方向に沿ってスライド移動可能に前記コネクタハウジングの外周に嵌合する筒状の検知部材本体と、前記可撓ロックアームとの係合によって前記検知部材本体を初期位置に規制する位置決め係止部とを有する嵌合検知部材と、を備えた半嵌合防止コネクタであって、
前記嵌合検知部材は、嵌合時に前記コネクタハウジングの少なくとも前記可撓ロックアームを押圧しないように支持可能な指当て部が形成されていることを特徴とする半嵌合防止コネクタ。
【請求項２】
前記指当て部は、前記コネクタハウジングの前記可撓ロックアームよりも突出するように、該可撓ロックアームに対応して形成されていることを特徴とする請求項１記載の半嵌合防止コネクタ。
【請求項３】
前記嵌合検知部材は、嵌合時に前記コネクタハウジングを押圧しないように支持可能な保護用ブリッジ部が形成されていることを特徴とする請求項１または２記載の半嵌合防止コネクタ。
【請求項４】
前記保護用ブリッジ部は、前記コネクタハウジングに常時接触可能なガイド突起が形成されていることを特徴とする請求項３に記載の半嵌合防止コネクタ。
【請求項５】
前記ガイド突起は、嵌合方向に沿って突設されており、嵌合前に前記コネクタハウジングの側部に当接し、嵌合途中に該コネクタハウジングの前記側部に摺接可能なように配されていることを特徴とする請求項４に記載の半嵌合防止コネクタ。
【発明の詳細な説明】
【０００１】
【発明の属する技術分野】
本発明は、半嵌合防止コネクタに関し、詳しくは一組の雌雄コネクタハウジング相互を嵌合させた際に、一方のコネクタハウジングに装着された嵌合検知部材の適正嵌合検知位置へのスライド移動の可否によって、雌雄コネクタハウジング相互の中途嵌合状態を検知する半嵌合防止コネクタに関する。
【０００２】
【従来の技術】
従来より雌雄コネクタハウジング相互の中途嵌合状態を一方のコネクタハウジングに装着された嵌合検知部材の適正嵌合検知位置へのスライド移動の可否によって検知する半嵌合防止コネクタが、下記特許文献１等に開示されている。
【０００３】
図４及び図５に示すように、従来の半嵌合防止コネクタ５０を構成する一方の雌コネクタハウジング６０は、その外周を覆うように外嵌され、上部に係止突起７１を有するスライド移動可能な嵌合検知部材７０を備えている。
雌コネクタハウジング６０は、本体６１内に雌端子６２を収容しており、係止孔６３を有する可撓ロックアーム６４を備えている。また、雌コネクタハウジング６０は、本体６１にオーリング６５を介してフロントホルダ６６が装着されている。
【０００４】
このような半嵌合防止コネクタ５０では、図示しない雄コネクタハウジングの嵌合前に、雌コネクタハウジング６０の係止孔６３に嵌合検知部材７０の係止突起７１が上方から嵌入され、係止突起７１の前端部が係止孔６３の前端部に当接することによって、雌コネクタハウジング６０のフロントホルダ６６が嵌合検知部材７０から突出する初期位置に規制される。
【０００５】
そして、雄コネクタハウジングが雌コネクタハウジング６０に嵌合され始めると、雄コネクタハウジングに有する係合突起が雌コネクタハウジング６０の係止孔６３に下方から嵌入され、嵌合検知部材７０の係止突起７１が係止孔６３から押し出され、嵌合検知部材７０の雌コネクタハウジング６０への規制が解除される。
【０００６】
雌コネクタハウジング６０への規制が解除された嵌合検知部材７０は、雌コネクタハウジング６０に対してスライド移動され、適正嵌合検知位置まで移動される。そして、係止突起７１が雌コネクタハウジング６０の可撓ロックアーム６４を乗り越え、クリック感を伴って可撓ロックアーム６４に係止されてスライド移動が規制される。これにより、雄コネクタハウジングの雌コネクタハウジング６０への完全嵌合状態が検知され、雄コネクタハウジング内に収容された雄端子が雌端子６２に電気的に接続される。
【０００７】
【特許文献１】
特開平９−１８０８１８号公報
【０００８】
【発明が解決しようとする課題】
しかしながら、上記従来の半嵌合防止コネクタ５０では、嵌合検知部材７０が雌コネクタハウジング６０に対してスライド移動する際に、当該嵌合作業をしている作業者の手指によって雌コネクタハウジング６０が押さえられた場合、嵌合検知部材７０が雌コネクタハウジング６０に対してスライド移動しない場合があり、雄コネクタハウジングと雌コネクタハウジング６０との嵌合が中途嵌合状態となって完全嵌合しない場合があるという問題があった。
【０００９】
本発明は、上記課題を解決するためになされたものであり、その目的は、作業ミスを誘発することなくコネクタハウジング相互の嵌合を確実に行うことによって、嵌合性能の向上を図ることができる半嵌合防止コネクタを提供することにある。
【００１０】
【課題を解決するための手段】
上記課題を解決する本発明の請求項１記載の半嵌合防止コネクタは、可撓ロックアームを有するコネクタハウジングと、嵌合方向に沿ってスライド移動可能に前記コネクタハウジングの外周に嵌合する筒状の検知部材本体と、前記可撓ロックアームとの係合によって前記検知部材本体を初期位置に規制する位置決め係止部とを有する嵌合検知部材と、を備えた半嵌合防止コネクタであって、
前記嵌合検知部材には、嵌合時に前記コネクタハウジングの少なくとも前記可撓ロックアームを押圧しないように支持可能な指当て部が形成されていることを特徴とする。
【００１１】
前記構成の半嵌合防止コネクタによれば、嵌合検知部材が外装されたコネクタハウジングに対して、相手コネクタハウジングが嵌合される際、作業者は嵌合検知部材の指当て部に手指を当てながら嵌合作業を行うことにより、コネクタハウジングを押圧することがない。
したがって、当該嵌合作業をしている作業者の手指によってコネクタハウジングを押さえ付けることがないので、嵌合検知部材がコネクタハウジングに対してスライド移動できなくなって、相手コネクタハウジングとの嵌合が中途嵌合状態となることがなくなる。これにより、作業ミスを誘発することなくコネクタハウジング相互の嵌合を確実に行うことができ、嵌合性能の向上を図ることができる。
【００１２】
また、請求項２記載の半嵌合防止コネクタは、請求項１記載の半嵌合防止コネクタにおいて、前記指当て部は、前記コネクタハウジングの前記可撓ロックアームよりも突出するように、該可撓ロックアームに対応して形成されていることを特徴とする。
【００１３】
前記構成の半嵌合防止コネクタによれば、作業者はコネクタハウジングの可撓ロックアームよりも突出するように可撓ロックアームに対応して形成された指当て部に手指を当てながら嵌合作業を行うことにより、コネクタハウジングを押圧することがない。
したがって、当該嵌合作業をしている作業者の手指が、コネクタハウジングの可撓ロックアームよりも突出するように形成された指当て部に手指を当てながら嵌合作業を行うことによってコネクタハウジングを押さえ付けることがないので、コネクタハウジング相互の嵌合作業を一層確実に行うことができる。
【００１４】
また、請求項３記載の半嵌合防止コネクタは、請求項１または２記載の半嵌合防止コネクタにおいて、前記嵌合検知部材には、嵌合時に前記コネクタハウジングを押圧しないように支持可能な保護用ブリッジ部が形成されていることを特徴とする。
【００１５】
前記構成の半嵌合防止コネクタによれば、作業者は指当て部に加えて形成された保護用ブリッジ部に手指を当てながら嵌合作業を行うことにより、コネクタハウジングを押圧することがない。
したがって、当該嵌合作業をしている作業者が、指当て部及び保護ブリッジ部に手指を当てながら嵌合作業を行うことによってコネクタハウジングを押さえ付けることがないので、嵌合検知部材がコネクタハウジングに対してスライド移動できなくなることはなく、コネクタハウジング相互の嵌合作業を一層確実に行うことができる。
【００１６】
また、請求項４記載の半嵌合防止コネクタは、請求項３に記載の半嵌合防止コネクタにおいて、前記保護用ブリッジ部には、前記コネクタハウジングに常時接触可能なガイド突起が形成されていることを特徴とする。
【００１７】
前記構成の半嵌合防止コネクタによれば、嵌合検知部材がコネクタハウジングに対してスライド移動する際に、コネクタハウジングは保護ブリッジ部に形成されたガイド突起に誘導されながら移動する。
したがって、当該嵌合作業をしている作業者は、指当て部や保護ブリッジ部に指を当てながら嵌合作業を行うことによりコネクタハウジングを押さえ付けることがない。これにより、嵌合検知部材に対してコネクタハウジングがスライド移動する際に、コネクタハウジングがガイド突起に支持されながら移動するため、保護用ブリッジ部に衝突することなく確実に移動される。よって、嵌合検知部材がコネクタハウジングに対してスライド移動できなくなることはなく、作業ミスを誘発することなくコネクタハウジング相互の嵌合作業を一層確実に行うことができる。
【００１８】
更に、請求項５記載の半嵌合防止コネクタは、請求項４記載の半嵌合防止コネクタにおいて、前記ガイド突起は、嵌合方向に沿って突設されており、嵌合前において前記コネクタハウジングの側部に当接し、嵌合途中において該コネクタハウジングの前記側部に摺接可能なように配されていることを特徴とする。
【００１９】
前記構成の半嵌合防止コネクタによれば、コネクタハウジングを支持するガイド突起が、嵌合方向に沿って保護用ブリッジ部に形成される。
したがって、ガイド突起は、嵌合検知部材を作成するための金型にわずかな変更を施すだけで製造できるので、工数の増大を招くことなく生産性の向上を図ることができる。
【００２０】
【発明の実施の形態】
以下、本発明の半嵌合防止コネクタの一実施形態を図１乃至図３に基づいて詳細に説明する。図１は本発明の半嵌合防止コネクタの一実施形態を示す断面斜視図、図２は図１に示す半嵌合防止コネクタの断面図、図３は図１に示す半嵌合防止コネクタに用いた嵌合検知部材の単体外観斜視図である。
【００２１】
図１に示すように本実施形態の半嵌合防止コネクタ１０は、可撓ロックアーム２１を有するコネクタハウジングである雌コネクタハウジング２０と、雌コネクタハウジング２０に嵌合方向に沿ってスライド可能に外嵌され可撓ロックアーム２１に係合される位置決め係止部である係止突起３１を有する略筒状の嵌合検知部材３０とから構成されており、図示しない雄コネクタハウジングが雌コネクタハウジング２０に嵌合される。
【００２２】
図２に示すように、雌コネクタハウジング２０は、一対の雌端子４０，４０を収容保持する端子収容室２３，２３が、略円筒形状をなすハウジング本体２２に形成されており、ハウジング本体２２には、前方よりオーリング２４を介してフロントホルダ２５が装着されている。
可撓ロックアーム２１は、ハウジング本体２２の上面に配されており、ハウジング本体２２の上面中央に立設された支柱部２６の上端に、ハウジング本体２２の嵌合方向に沿って支柱部２６の前後に延びており、支柱部２６を支点としてシーソー式に変位可能なように構成されている。
【００２３】
可撓ロックアーム２１における嵌合方向の先端側には、係止孔２１ａが形成されている。係止孔２１ａには、嵌合検知部材３０が初期位置にあるときに、嵌合検知部材３０の係止突起３１が上方より嵌入される。そして、雄コネクタハウジングが雌コネクタハウジング２０に嵌合されるに際し、嵌合検知部材３０が初期位置から前方に設定されている適正嵌合検知位置までスライド移動される。このとき、係止孔２１ａに対して雄コネクタハウジングの上部に形成された係合突起が下方より嵌入されることで、嵌合検知部材３０の係止突起３１が押し上げられて、係合突起の係止孔２１ａへの係合状態が解除される。
その後、嵌合検知部材３０の係止突起３１が可撓ロックアーム２１を乗り越えて可撓ロックアーム２１の先端部外側にスナップアクション的に落とし込まれる。これにより、係止突起３１が可撓ロックアーム２１の先端部に係止され、嵌合検知部材３０のスライド移動が停止されて完全嵌合状態となる。また、雌コネクタハウジング２０の外側部には、嵌合方向に沿ってリブ形状に突出した３個のガイド突条（図示しない）が形成されている。
【００２４】
図３に示すように、嵌合検知部材３０には、雌コネクタハウジング２０の外周に嵌合してハウジング本体２２の周囲を覆う略筒状の検知部材本体３２を備えている。係止突起３１は、検知部材本体３２の上部において図１中の上下方向に可撓可能に配されている。検知部材本体３２の内側には、雌コネクタハウジング２０のガイド突条を摺動自在に受けるガイド受溝３２ａ，３２ａが形成されており、ガイド受溝３２ａ，３２ａ内に雌コネクタハウジング２０のガイド突条が嵌入されることによって、雌コネクタハウジング２０を嵌合方向に沿ってスライド自在に支持する。
【００２５】
検知部材本体３２における嵌合方向の後端部には、一対の指当て部３３，３３と、保護用ブリッジ部３４とが形成されている。指当て部３３，３３は、検知部材本体３２の後端部において、検知部材本体３２の上部に、雌コネクタハウジング２０の可撓ロックアーム２１よりも突出するように可撓ロックアーム２１に対応して略四角柱形状に形成されている。そのため、嵌合作業を行なう作業者が、指当て部３３，３３に手指を当てながら嵌合作業を行うことで、雌コネクタハウジング２０を直接押圧することがないようにする。
これにより、雌コネクタハウジング２０を押さえ付けることがないので、嵌合検知部材が雌コネクタハウジングに対してスライド移動できなくなって、雄コネクタハウジングと雌コネクタハウジングとの嵌合が中途嵌合状態となることがなくなり、コネクタハウジング相互の嵌合作業を確実に行うことができる。
【００２６】
保護用ブリッジ部３４は、検知部材本体３２の後端部において、検知部材本体３２の筒形状を構成する両側板部３５，３５に架橋して形成されており、雌コネクタハウジング２０の外形に対応した湾曲形状にして初期位置にある雌コネクタハウジング２０の端部上に配されている。そのため、嵌合作業をしている作業者が、保護用ブリッジ部３４に手指を当てながら嵌合作業を行なうことによって、雌コネクタハウジング２０を押さえ付けることがないようにする。
【００２７】
そして、保護用ブリッジ部３４の嵌合方向先端部に、嵌合方向に沿ってガイド突起３６が突設されている。ガイド突起３６は、保護用ブリッジ部３４の嵌合方向先端部に配されているため、嵌合前に雌コネクタハウジング２０の側部に当接し、嵌合途中に雌コネクタハウジング２０の側部に摺接される。これにより、嵌合検知部材３０が雌コネクタハウジング２０に対してスライド移動する際に、雌コネクタハウジング２０に摺接して移動を支持する。
したがって、嵌合検知部材３０に大きな荷重がかかって撓んだとしても、雌コネクタハウジング２０を保護用ブリッジ部３４に衝突することなく確実に移動するようにする。その結果、嵌合検知部材が雌コネクタハウジングに対してスライド移動できなくなって、雄コネクタハウジングと雌コネクタハウジングとの嵌合が中途嵌合状態となることがなくなり、コネクタハウジング相互の嵌合を確実に行うことができる。
【００２８】
このような半嵌合防止コネクタ１０は、雌コネクタハウジング２０が初期位置にある嵌合前に、雌コネクタハウジング２０における可撓ロックアーム２１の係止孔２１ａに嵌合検知部材３０の係止突起３１が上方から嵌入して係合されている。
【００２９】
次に、雄コネクタハウジングが、雌コネクタハウジング２０に対して嵌合され始めると、雄コネクタハウジングの係合突起が可撓ロックアーム２１の下方から係止孔２１ａに嵌入される。これにより、係止孔２１ａ内に係合していた係止突起３１が押し出されて、嵌合検知部材３０の初期位置への規制が解除され、嵌合検知部材３０が嵌合方向に移動可能な状態となる。
【００３０】
そして、嵌合検知部材３０が作業者により前方の適正嵌合検知位置まで移動されると、嵌合検知部材３０の係止突起３１が可撓ロックアーム２１を乗り越えて可撓ロックアーム２１の先端部の外側にスナップアクション的に落とし込まれることで、係止突起３１が可撓ロックアーム２１の先端部に係止される。
これにより、嵌合検知部材３０のスライド移動が停止されて完全嵌合状態を検知することができ、雌コネクタハウジング２０に収容されている雌端子４０，４０が、雄コネクタハウジングに収容されている雄端子に電気的に接続される。
【００３１】
上記嵌合において、嵌合作業を行なう作業者は、嵌合検知部材３０の指当て部３３，３３に手指を当てながら嵌合作業を行うことにより、雌コネクタハウジング２０を直接押圧することがないので、雌コネクタハウジング２０を押さえ付けることがない。また、作業者は、嵌合検知部材３０の保護用ブリッジ部３４に手指を当てながら作業を行なうことにより、雌コネクタハウジング２０を押さえ付けることがない。
【００３２】
そして、嵌合検知部材３０のガイド突起３６が、嵌合前に雌コネクタハウジング２０の側部に当接し、嵌合途中に雌コネクタハウジング２０の側部に摺接されることにより、嵌合検知部材３０が雌コネクタハウジング２０に対してスライド移動する際に、雌コネクタハウジング２０に摺接して移動を支持して、雌コネクタハウジング２０を保護用ブリッジ部３４に衝突させることなく確実に移動させる。これにより、嵌合検知部材が雌コネクタハウジングに対してスライド移動できなくなって、雄コネクタハウジングと雌コネクタハウジングとの嵌合が中途嵌合状態となることなく、コネクタハウジング相互の嵌合が確実に行われる。
【００３３】
本実施形態の半嵌合防止コネクタ１０によれば、嵌合検知部材３０が外装された雌コネクタハウジング２０に雄コネクタハウジングが嵌合される際、作業者は、嵌合検知部材３０の指当て部３３，３３や保護用ブリッジ部３４に手指を当てながら作業を行う。また、嵌合検知部材３０が雌コネクタハウジング２０に対してスライド移動する際に、雌コネクタハウジング２０は、嵌合方向に沿って保護用ブリッジ部３４に形成されたガイド突起３６に支持されながら移動する。
したがって、嵌合作業をしている作業者が指当て部３３，３３や保護ブリッジ部３４に手指を当てながら嵌合作業を行うことによって、雌コネクタハウジング２０を押さえ付けることがない。また、嵌合検知部材３０に対して雌コネクタハウジング２０がスライド移動する際に、雌コネクタハウジング２０がガイド突起３６に支持されながら移動するため、保護用ブリッジ部３４に衝突することなく確実に移動される。
【００３４】
その結果、コネクタハウジング相互の嵌合を確実に行うことができ、作業ミスを誘発することなくコネクタハウジング相互の嵌合作業を確実に行うことによって、嵌合性能の向上を図ることができる。また、ガイド突起３６は、嵌合検知部材３０を作成するための金型にわずかな変更を施すだけで製造されるので、工数の増大を招くことなく、生産性の向上を図ることができる。
【００３５】
なお、本発明に係る半嵌合防止コネクタは、上述した実施形態に限定されるものではなく、適宜な変形、改良等が可能である。例えば、指当て部の形状は、図示したものに限定されることはなく、丸棒形状や円錐形状或いは角錐形状にしても良い。
また、保護用ブリッジ部の形状は、図示したものに限定されることはなく、例えば、上面を平面状として、下面が湾曲した形状としても良い。
また、保護用ブリッジ部に形成したガイド突起の形状は、図示したものに限定されることはなく、例えば、保護用ブリッジ部の全長に亘って突出するようにしても良い。
【００３６】
【発明の効果】
以上説明したように本発明の請求項１記載の半嵌合防止コネクタによれば、嵌合検知部材が外装されたコネクタハウジングに対して相手コネクタハウジングが嵌合される際、作業者は嵌合検知部材の指当て部に手指を当てながら作業を行うことによりコネクタハウジングを押圧することがない。
したがって、当該嵌合作業をしている作業者の手指によってコネクタハウジングを押さえ付けることがないので、嵌合検知部材がコネクタハウジングに対してスライド移動できなくなって、相手コネクタハウジングとの嵌合状態が中途嵌合状態となることがない。よって、作業ミスを誘発することなくコネクタハウジング相互の嵌合を確実に行うことができ、嵌合性能の向上を図ることができる。
【００３７】
また、本発明の請求項２記載の半嵌合防止コネクタによれば、作業者はコネクタハウジングの可撓ロックアームよりも突出するように可撓ロックアームに対応して形成された指当て部に手指を当てながら嵌合作業を行うことにより、コネクタハウジングを押圧することがない。
したがって、当該嵌合作業をしている作業者は、コネクタハウジングの可撓ロックアームよりも突出するように形成された指当て部に手指を当てながら嵌合作業を行うことによってコネクタハウジングを押さえ付けることがないので、嵌合検知部材がコネクタハウジングに対してスライド移動できなくなることはなく、相手コネクタハウジングとの嵌合状態が中途嵌合状態となることはない。よって、作業ミスを誘発することなくコネクタハウジング相互の嵌合を確実に行うことができる。
【００３８】
また、本発明の請求項３記載の半嵌合防止コネクタによれば、作業者は、指当て部に加えて形成された保護用ブリッジ部に手指を当てながら嵌合作業を行うことにより、コネクタハウジングを押圧することがない。
したがって、当該嵌合作業をしている作業者が、指当て部及び保護ブリッジ部に手指を当てながら嵌合作業を行うことによってコネクタハウジングを押さえ付けることがないので、嵌合検知部材がコネクタハウジングに対してスライド移動できなくなるようなことはなくなる。よって、相手コネクタハウジングとの嵌合状態が中途嵌合状態となることがなく、作業ミスを誘発することなくコネクタハウジング相互の嵌合を確実に行うことができる。
【００３９】
また、本発明の請求項４記載の半嵌合防止コネクタによれば、嵌合検知部材がコネクタハウジングに対してスライド移動する際に、コネクタハウジングは保護ブリッジ部に形成されたガイド突起に誘導されながら移動する。
したがって、当該嵌合作業をしている作業者が、指当て部や保護ブリッジ部に手指を当てながら嵌合作業を行うことによってコネクタハウジングを押さえ付けることがないとともに、嵌合検知部材に対してコネクタハウジングがスライド移動する際に、コネクタハウジングがガイド突起に支持されながら移動する。よって、嵌合検知部材がコネクタハウジングに対してスライド移動できなくなるようなことはなく、相手コネクタハウジングとの嵌合状態が中途嵌合状態となることなく、作業ミスを誘発することなくコネクタハウジング相互の嵌合作業を確実に行うことができる。
【００４０】
更に、本発明の請求項５記載の半嵌合防止コネクタによれば、コネクタハウジングを支持するガイド突起が、嵌合方向に沿って保護用ブリッジ部に形成されている。
したがって、ガイド突起は、嵌合検知部材を作成するための金型にわずかな変更を施すだけで製造されるので、工数の増大を招くことなく、生産性の向上を図ることができる。
【図面の簡単な説明】
【図１】本発明の半嵌合防止コネクタの一実施形態を示す断面斜視図である。
【図２】図１に示した半嵌合防止コネクタの断面図である。
【図３】図１に示した半嵌合防止コネクタに用いた嵌合検知部材の単体外観斜視図である。
【図４】従来の半嵌合防止コネクタの外観斜視図である。
【図５】図４に示した半嵌合防止コネクタの断面図である。
【符号の説明】
１０  半嵌合防止コネクタ
２０  雌コネクタハウジング（コネクタハウジング）
２１  可撓ロックアーム
３０  嵌合検知部材
３１  係止突起（位置決め係止部）
３２  検知部材本体
３３  指当て部
３４  保護用ブリッジ部
３６  ガイド突起
【図１】
2004241275.tif 000003
【図２】
2004241275.tif 000004
【図３】
2004241275.tif 000005
【図４】
2004241275.tif 000006
【図５】
2004241275.tif 000007